(57)【要約】【課題】組立や分解が容易で、強度が高く部品点数の少ない折畳組立式机を提供する。【解決手段】（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机と、（Ｂ）前記水平杆の上部に取り外し可能に乗せられる棚とからなる折畳組立式机であって、床面と接する脚の一端に保護キャップが設けられ、前記水平杆の軸支部分に少なくとも１つのスペーサーが用いられている。【選択図】図１
0003138046.tif 000002
【実用新案登録請求の範囲】
【請求項１】
（Ａ）天板と、
脚部とからなる机であって、
前記脚部が、上下方向に延び、前記天板を取り外し可能に支持する４本の脚と、前記４本の脚を互い違いに連結する少なくとも１対の水平杆とからなり、
前記水平杆が、互いに旋回可能に軸支されてなる机と、
（Ｂ）前記水平杆の上部に取り外し可能に乗せられる棚
とからなる折畳組立式机。
【請求項２】
天板と、
脚部とからなる机であって、
前記脚部が、上下方向に延び、前記天板を取り外し可能に支持する４本の脚と、前記４本の脚を互い違いに連結する少なくとも１対の水平杆とからなり、
前記水平杆が、互いに旋回可能に軸支されてなる机。
【請求項３】
前記水平杆の上部に取り外し可能に乗せられる棚。
【請求項４】
前記脚の一端に、保護キャップが設けられてなる請求項１または２記載の折畳組立式机。
【請求項５】
前記棚の底部に、旋回時に交差する前記水平杆の各水平杆による段差と嵌め込み式に当接するよう突起が設けられてなる請求項１または３記載の棚。
【請求項６】
前記水平杆の軸支部分に、少なくとも１つのスペーサーが用いられてなる請求項１〜５のいずれか１項に記載の折畳組立式机。
【考案の詳細な説明】
【技術分野】
【０００１】
本考案は、折畳組立式机に関する。さらに詳しくは、（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机と、（Ｂ）前記水平杆の上部に取り外し可能に乗せられる棚とからなる折畳組立式机に関する。
【背景技術】
【０００２】
従来から、折畳組立式机は種々提案されているが、それらは構成部品を何点かに分けて製作し、設置場所でそれらの部材を強固に組立てるものであった。よって、組立ては可能に設計されているものであるが、それに要する時間、労力は多大なものであり、分解や再移動については考慮されたものではなく、また、部材を分化したがゆえに、連結を強化するための連結金具など、部品点数が多かった。連結金具の設置場所には、たとえばねじ頭の収納穴を開けるなど、部材の加工に手間がかかるものであった。また、組立時に接着剤を用いるなど、時間を要することが多く、部材の仮固定や仮組立てを一人でできないことも多く、課題が残っていた。
【考案の開示】
【考案が解決しようとする課題】
【０００３】
本考案は、上記従来の問題に鑑みてなされたものであり、組立や分解が容易な折畳組立式机を提供することができる。また、強度が高く部品点数の少ない折畳組立式机を提供することを目的としている。
【課題を解決するための手段】
【０００４】
本考案の第一の態様にかかわる机は、（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机と、（Ｂ）前記水平杆の上部に取り外し可能に乗せられる棚とからなる折畳組立式机である。
【０００５】
本考案の第二の態様にかかわる机は、（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机である。
【０００６】
床面と接する脚の一端に保護キャップが設けられてなることが好ましい。
【０００７】
前記水平杆の軸支部分に少なくとも１つのスペーサーが用いられていることが好ましい。
【０００８】
前記棚の底部に、旋回時に交差する前記水平杆の各水平杆による段差と嵌め込み式に当接するよう突起が設けられてなることが好ましい。
【考案の効果】
【０００９】
本考案の折畳組立式机は、組立や分解が容易で、かつ強度が高く部品点数の少ない折畳組立式机を提供することができる。使用者は、用途を限定されることなく種々の場面で使用することができる。たとえば仏事において、焼香の際の手荷物を置く天板として使用できるほか、仏壇横などに配してお供え物を置くための天板として使用してもよい。仏事以外にも、たとえばアウトドア用品における簡易テーブルとして使用できるほか、インテリア用品を置く天板として、またはガーデニング用のオブジェなどにも使用できる。さらに、天板の下部に水平に設けられた棚には、種々の物品を置くことができる。また、脚の一端に設けられた保護キャップにより、設置面を傷つけることなく、さらに軸支部分に設けられたスペーサーにより、机を構成する素材を傷つけることもない。
【考案を実施するための最良の形態】
【００１０】
本考案の折畳組立式机には、（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机と、（Ｂ）前記水平杆の上部に取り外し可能に乗せられる棚を有する。
【００１１】
以下で、添付図面を参照しながら、本考案の折畳組立式机（以下、単に机という）を詳細に説明する。
【００１２】
図１は、本考案の机の一実施形態（実施の形態１）における斜視図である。図２は、本考案の机の一実施形態（実施の形態１）における天板と脚の挿着機構を説明するための斜視図である。図３は、本考案の机の一実施形態（実施の形態１）における机の底面図である。図４は、本考案の机の一実施形態（実施の形態１）における水平杆の軸支部分の断面拡大図である。図５は、本考案の机の一実施態様（実施の形態１）における棚を説明するための説明図であり、図５（ａ）は底面図、図５（ｂ）は側面図である。図６は、本考案の机の一実施形態（実施の形態１）における側面図である。図７は、本考案の机の一実施形態（実施の形態１）における棚の一部の側面断面図である。図８は、本考案の机の一実施形態（実施の形態２）における斜視図である。
【００１３】
実施の形態１
実施の形態１の机１は、図１〜３に示されるように、天板２と、４本の脚３および水平杆４とからなる脚部と、棚５とから構成されている。
【００１４】
天板２は、四方の枠木２ａと、上板２ｂとから構成される。天板２は、上面視で長方形を呈しており、底面には４本の枠木２ａと上板２ｂによって仕切られた部位が凹部２ｃを構成している。底面の凹部２ｃは、後述のように、四方に４本の脚３がそれぞれ当接する。なお、枠木２ａと上板２ｂは、枠木２ａの底面方向から上板２ｂ方向にかけて螺着されている。固着方法は、ねじに限定されず、くぎなどの当業者に自明の各種固着手段を適宜選択できるほか、接着剤による固着であってもなんら問題ない。また、当接部位が雌雄の関係を有するような加工（たとえば蟻溝と蟻ほぞの関係）を施してもよい。さらに、必要であれば、Ｌ字金具等で補強してもよい。
【００１５】
また、図３に示されるように、凹部２ｃの四方を補強部材２ｄで補強してもよい。補強部材２ｄにより、当接するそれぞれの枠木２ａの接続を強化することができる。
【００１６】
なお、枠木２ａや上板２ｂには、ヒバ材に代表される各種木材を使用することができる。
【００１７】
次に、脚３について説明する。図１および図３に示されるように、４本の脚３は、水平断面形状が円形であり、それぞれの一端が床と接しており、他端は前述のように、天板２の底面に設けられた凹部２ｃの四隅と当接している。また、脚３には、後述する水平杆４が挿入できるよう少なくとも１箇所の溝３ａが設けられている。なお、本考案では脚に設けられた溝３ａに水平杆４を挿入することにより固定しているが、脚３と水平杆４の固着方法はこれに限定されず、たとえば溝３ａに水平杆４を嵌め込む前に溝３ａに接着剤をあらかじめ塗っておくことでより強固に固着することができる。また、水平杆４と脚３を、たとえばねじやくぎといった固着手段を用いて固着してもよい。本考案のように、固着手段を用いずに固着することにより、外観上の美観を損ねることがない。また、部品点数が少なくて済み、強度を高く保つこともできる。脚３は、水平杆４により互い違いに接続されており、前記水平杆４は、少なくとも１箇所で交差し、交差点６において旋回可能に軸支されている。
【００１８】
なお、図１または図２に示されるように、脚３の床と設置する一端には、床を傷つけないようにキャップ部３ｂを設けることができる。
【００１９】
また、脚３には、ヒバ材に代表される各種木材を使用することができる。
【００２０】
図４に示されるように、水平杆４は、前述のように、４本の脚３を互い違いに接続する部位であり、前記水平杆４は、少なくとも１箇所で交差し、交差点６において旋回可能に軸支されている。交差点６では、ボルト６ａ、ナット６ｂ、スペーサー（本考案ではワッシャー６ｃ）を介して固着されているが、スペーサーを介することにより、スムーズな開閉を可能にするとともに、開閉時に水平杆４を傷つけることがない。特に仏事用の机では、机１の表面を漆などで塗装することもあり、スペーサーを介することにより傷を防ぐことは非常に重要である。
【００２１】
なお、水平杆４には、ヒバ材に代表される各種木材を使用することができる。
【００２２】
また、図２に示されるように、交差点６において水平杆４が開かれた後、天板２の底面に設けられた凹部２ｃの四方に４本の脚３のそれぞれの一端が当接するように嵌め込まれる。
【００２３】
なお、本考案では、交差した水平杆４が２対の場合について説明するが、本考案において、交差した水平杆４の数は特に限定されるものではなく、１対または複数であればよい。なぜなら、本考案の場合、水平杆４は脚を互い違いに接続し、脚３の開閉機構の一端をなすという目的であるため、天板２に重量の大きな物を載せた場合であっても、荷重がかかることがないからである。
【００２４】
次に、棚５について説明する。図１または図２に示されるように、棚５は、上面視で長方形を呈しており、上面には４本の枠木５ａと底板５ｂによって仕切られた部位が凹部５ｃを構成している。また、凹部５ｃの中央には、前述のボルト６ａの先端と嵌合し、水平杆４に載せた際に水平となるよう孔５ｄが設けられている。
【００２５】
図５（ａ）、図５（ｂ）および図６に示されるように、棚５の底部５ｂには、高さの異なる複数個の突起７（以下、高さの低い突起を小突起７ａ、高さの高い突起を大突起７ｂとする）が設けられている（図５（ａ）では、小突起７ａが４個、大突起７ｂが４個の場合を例示）。小突起７ａと大突起７ｂは１対で構成され、前述の交差する１対の水平杆４のうち、下段に位置する水平杆４ａに小突起７ａが隙間なく当接するよう高さが調節されている。つまり、小突起７ａの高さＡは、水平杆４とワッシャー６ｃの高さの和であり、大突起７ｂの高さＢは常にＢ＞Ａの関係を満たす。大突起７ｂは、上段の水平杆４ｂとも下段の水平杆４ａとも当接することにより、棚５に左右の力が加わった際のぐらつきを防止することができる。なお、各小突起７ａと孔５ｄは直線上に配置されており、隣り合う大突起７ｂ同士は、前述の直線を挟んで設置されている（図５（ａ）を参照）。これにより、ぐらつきをさらに防止することができる。
【００２６】
なお、枠木５ａと底板５ｂは、図７で示されるように、当接部５ｅおよび当接部５ｆを介して接着剤により固着されている。なお、固着方法は、接着剤を塗布する方法に限定されず、ねじやくぎなどの当業者に自明の各種固着手段を適宜選択できるほか、当接部位が雌雄の関係を有するような加工（たとえば勘合ブッシュと勘合穴の関係）を施してもよい。さらに、必要であれば、Ｌ字金具等で補強してもよい。
【００２７】
また、底板５ｂと大突起７ｂおよび小突起７ａは、大突起７ｂおよび小突起７ａの一端が、接着剤により底板５ｂと固着されている（図５（ｂ）参照）。なお、固着方法は、接着剤を塗布する方法に限定されず、ねじやくぎなどの当業者に自明の各種固着手段を用いて底板５ｂの上面から固着するなど、適宜選択できるほか、当接部位が雌雄の関係を有するような加工（たとえば勘合ブッシュと勘合穴の関係）を施してもよい。
【００２８】
なお、枠木５ａや底板５ｂには、ヒバ材に代表される各種木材を使用することができる。また、大突起７ｂおよび小突起７ａには、ヒバ材に代表される各種木材や樹脂を使用することができる。
【００２９】
実施の形態２
実施の形態２の机８は、図８に示されるように、実施の形態１の机の棚５を除いたほかは、同様であるため、詳細な説明は省略する。
【００３０】
以上のように、本実施の形態の机は、（Ａ）天板と、脚部とからなる机であって、前記脚部が、上下方向に延び、前記天板を取り外し可能に支持する４本の脚と、前記４本の脚を互い違いに連結する少なくとも１対の水平杆とからなり、前記水平杆が、互いに旋回可能に軸支されてなる机と、（Ｂ）前記水平杆の上部に取り外し可能に乗せられる棚とからなる机であって、これにより、収納および設置が容易で、かつ強度が高く部品点数の少ない折畳組立式机を提供することができる。また、脚の一端に設けられた保護キャップにより、設置面を傷つけることなく、さらに軸支部分に設けられたスペーサーにより、机を構成する素材を傷つけることもない。
【００３１】
なお、本考案では、天板が上面視で長方形の場合について説明したが、天板の形状はこれに限定されるものではなく、正方形であってもよい。また、天板の上板の形状は自由に設計できる。
【図面の簡単な説明】
【００３２】
【図１】本考案の机の一実施形態（実施の形態１）における斜視図である。
【図２】本考案の机の一実施形態（実施の形態１）における天板と脚の挿着機構を説明するための斜視図である。
【図３】本考案の机の一実施形態（実施の形態１）における机の底面図である。
【図４】本考案の机の一実施形態（実施の形態１）における水平杆の軸支部分の断面拡大図である。
【図５】本考案の机の一実施態様（実施の形態１）における棚を説明するための説明図である。
【図６】本考案の机の一実施形態（実施の形態１）における側面図である。
【図７】本考案の机の一実施形態（実施の形態１）における棚の一部の側面断面図である。
【図８】本考案の机の一実施形態（実施の形態２）における斜視図である。
【符号の説明】
【００３３】
１、８  机
２  天板
２ａ  枠木
２ｂ  上板
２ｃ  凹部
２ｄ  補強部材
３  脚
３ａ  溝
３ｂ  キャップ部
４  水平杆
５  棚
５ａ  枠木
５ｂ  底板
５ｃ  凹部
５ｄ  孔
５ｅ、５ｆ  当接部
６  交差点
６ａ  ボルト
６ｂ  ナット
６ｃ  ワッシャー
７  突起
７ａ  小突起
７ｂ  大突起
【図１】
0003138046.tif 000003
【図２】
0003138046.tif 000004
【図３】
0003138046.tif 000005
【図４】
0003138046.tif 000006
【図５】
0003138046.tif 000007
【図６】
0003138046.tif 000008
【図７】
0003138046.tif 000009
【図８】
0003138046.tif 000010
【手続補正書】
【提出日】平成19年10月16日(2007.10.16)
【手続補正１】
【補正対象書類名】実用新案登録請求の範囲
【補正対象項目名】全文
【補正方法】変更
【補正の内容】
【実用新案登録請求の範囲】
【請求項１】
（Ａ）天板と、
脚部とからなる机であって、
前記脚部が、上下方向に延び、前記天板を取り外し可能に支持する４本の脚と、前記４本の脚を互い違いに連結する少なくとも１対の水平杆とからなり、
前記水平杆が、互いに旋回可能に軸支されてなる机と、
（Ｂ）前記水平杆の上部に取り外し可能に乗せられる棚
とからなる折畳組立式机。
【請求項２】
天板と、
脚部とからなる机であって、
前記脚部が、上下方向に延び、前記天板を取り外し可能に支持する４本の脚と、前記４本の脚を互い違いに連結する少なくとも１対の水平杆とからなり、
前記水平杆が、互いに旋回可能に軸支されてなる机。
【請求項３】
前記脚の一端に、保護キャップが設けられてなる請求項１または２記載の折畳組立式机。
【請求項４】
前記棚の底部に、旋回時に交差する前記水平杆の各水平杆による段差と嵌め込み式に当接するよう突起が設けられてなる請求項１記載の棚。
【請求項５】
前記水平杆の軸支部分に、少なくとも１つのスペーサーが用いられてなる請求項１〜３のいずれか１項に記載の折畳組立式机。